(57)【要約】【課題】人間の視覚特性を考慮したアンチエイリアス処理をハードウェアで行うことにより、高品質な描画表現を高速に実現する。【解決手段】それぞれ色情報を含む画素データを保持する画像記憶素子１００を備える画像処理装置において、前記画像記憶素子は、第一の座標系で表現された画像データを入力しそれを第二の座標系の画像データに変換して送出する座標変換部１２０と、前記第二の座標系の画像データを取込みそれにアンチエイリアシング処理を施して送出するアンチエイリアシング演算部１３０と、前記アンチエイリアシング演算部によって処理された画像データを取込みそれを第一の座標系の画像データに変換して送出する座標逆変換部１４０と、前記第一の座標系の画像データをメモリセル１５０および１６０に格納しそれを任意のタイミングで送出して表示させるデータ制御部１１０とを有する。【選択図】      図１
2004287964.tif 000002
【特許請求の範囲】
【請求項１】
それぞれ色情報を含む画素データを保持する画像記憶素子を備える画像処理装置において、前記画像記憶素子は、第一の座標系で表現された画像データを入力しそれを第二の座標系の画像データに変換して送出する座標変換部と、前記第二の座標系の画像データを取込みそれにアンチエイリアシング処理を施して送出するアンチエイリアシング演算部と、前記アンチエイリアシング演算部によって処理された画像データを取込みそれを第一の座標系の画像データに変換して送出する座標逆変換部と、前記第一の座標系の画像データをメモリセルに格納しそれを任意のタイミングで送出して表示させるデータ制御部とを有することを特徴とする画像処理装置。
【請求項２】
それぞれ色情報を含む画素データを保持する画像記憶素子を備える画像処理装置において、前記画像記憶素子は、直交座標系で表現された画像データを入力しそれを円筒座標系の画像データに変換して送出する座標変換部と、前記円筒座標系の画像データを取込みそれにアンチエイリアシング処理を施して送出するアンチエイリアシング演算部と、前記アンチエイリアシング演算部によって処理された画像データを取込みそれを直交座標系の画像データに変換して送出する座標逆変換部と、前記直交座標系の画像データをメモリセルに格納しそれを任意のタイミングで送出して表示させるデータ制御部とを有することを特徴とする画像処理装置。
【請求項３】
それぞれ色情報を含む画素データを保持する画像記憶素子を備える画像処理装置において、前記画像記憶素子は、ＲＧＢ値で表現された画像データを入力しそれをＨＶＣ値の画像データに変換して送出する画素値変換手段と、前記ＨＶＣ値の画像データを取込みそれにアンチエイリアシング処理を施して送出するアンチエイリアシング演算手段と、前記アンチエイリアシング演算手段によって処理された画像データを取込みそれをＲＧＢ値の画像データに変換して送出する画素値逆変換手段と、前記ＲＧＢ値の画像データをメモリセルに格納しそれを任意のタイミングで送出して表示させるデータ制御手段とを有することを特徴とする画像処理装置。
【請求項４】
それぞれ色情報を含む画素データを保持する画像記憶素子を備える画像処理装置において、前記画像記憶素子は、外部バスに接続されて画像データを取込みそれを保持する入出力バッファと、前記画像データの入出力を制御するデータコントローラと、ＲＧＢ値で表現された画素データをＨＶＣ値に変換するＲＧＢ−ＨＶＣコンバータと、アンチエイリアシングを行うデータを指示するカウンタと、アンチエイリアシングを行うデータを保持する第一レジスタ群と、前記カウンタが示す値に基づき前記第一レジスタ群へ画素データの書込みを制御するライトデータコントローラと、前記第一レジスタ群に保持された画素データからアンチエイリアシングデータを計算する演算器と、前記アンチエイリアシングデータをＲＧＢ値に変換するＨＶＣ−ＲＧＢコンバータと、前記ＨＶＣ−ＲＧＢコンバータによってＲＧＢ値に変換されたアンチエイリアシングデータを保持する第二レジスタ群と、外部バスに接続されてアドレスを取込みそれを保持するアドレスバッファと、前記アドレスバッファに保持されたアドレスをデコードするロー／カラムデコーダと、画素データを保持するメモリセルアレイと、前記メモリセルアレイの任意のアドレスから前記データコントローラを介して送出される画素データを保持するシリアルアクセスメモリおよびシリアル出力バッファとを有することを特徴とする画像処理装置。
【請求項５】
請求項４記載の画像処理装置において、前記データコントローラは、第一および第二のメモリセルアレイへの画素データの書込みを制御するライトコントローラと、第一のメモリセルアレイへの書込みデータを選択する第一セレクタと、第二のメモリセルアレイへの書込みデータを選択する第二セレクタと、前記第一および第二のメモリセルアレイからの画素データの読出しを制御するリードコントローラと、前記第二レジスタ群に保持されたアンチエイリアシングデータの前記第一および第二のメモリセルアレイへの書込みを制御するシリアルライトコントローラと、前記シリアルライトコントローラが送出する画素データと前記第一および第二のメモリセルアレイから読出した画素データとを選択出力する第三セレクタと、前記第三セレクタが送出する画素データを前記第一および第二のメモリセルアレイおよび前記シリアルアクセスメモリに選択出力する第四セレクタとを具備することを特徴とする画像処理装置。
【請求項６】
第一の座標系で表現された画像データを入力しそれを第二の座標系の画像データに変換して送出し、前記第二の座標系の画像データを取込みそれにアンチエイリアシング処理を施して送出し、前記アンチエイリアシング処理をされた画像データを取込みそれを第一の座標系の画像データに変換して送出し、前記第一の座標系の画像データをメモリセルに格納しそれを任意のタイミングで送出して表示させることを特徴とする画像処理方法。
【請求項７】
直交座標系で表現された画像データを入力しそれを円筒座標系の画像データに変換して送出し、前記円筒座標系の画像データを取込みそれにアンチエイリアシング処理を施して送出し、前記アンチエイリアシング処理をされた画像データを取込みそれを直交座標系の画像データに変換して送出し、前記直交座標系の画像データをメモリセルに格納しそれを任意のタイミングで送出して表示させることを特徴とする画像処理方法。
【請求項８】
ＲＧＢ値で表現された画像データを入力しそれをＨＶＣ値の画像データに変換して送出し、前記ＨＶＣ値の画像データを取込みそれにアンチエイリアシング処理を施して送出し、前記アンチエイリアシング処理をされた画像データを取込みそれをＲＧＢ値の画像データに変換して送出し、前記ＲＧＢ値の画像データをメモリセルに格納しそれを任意のタイミングで送出して表示させることを特徴とする画像処理方法。
【発明の詳細な説明】
【０００１】
【発明の属する技術分野】
本発明は画像処理装置および方法に関し、特に高品質なアンチエイリアス処理を高速で行う画像処理装置および方法に関する。
【０００２】
【従来の技術】
画像処理において、直線を滑らかに表現するために、アンチエイリアス処理を行うことがある。
【０００３】
従来、アンチエイリアス処理では、シェーディング機能を利用してＲＧＢ色空間で表わされた直線の色値および背景の色値の差を直線的に高速に補間することにより、画像表現に適用させている（たとえば、特許文献１参照。）。
【０００４】
しかしながら、上記のようなアンチエイリアシング手法は、Ｒ，Ｇ，Ｂの各色の単位でハードウェア上では色の変化が滑らかになっていても、合成された色の変化は人間の目に必ずしも滑らかに見える訳ではない。すなわち、人間の視覚特性を考慮したアンチエイリアス処理が行なわれている訳ではない。
【０００５】
【特許文献１】
特開平１０−３３４２５０号公報（第２〜３頁，図２）
【０００６】
【発明が解決しようとする課題】
上記のように、従来の画像処理装置におけるアンチエイリアシング方法は、Ｒ，Ｇ，Ｂ各色の変化を直線的に補間しているが、合成された色の変化は人間の視覚特性に適合したものになっていない。
【０００７】
すなわち、一般的に使用されている直交座標系によるＲＧＢ値でのアンチエイリアシング方法では、自然で滑らかな描画として人間の目に見えないことが多いという欠点がある。
【０００８】
本発明の目的は、上記のような欠点を改善するために、人間の視覚特性を配慮したアンチエイリアス処理をハードウェアで行うことにより、高品質な描画表現を高速に得ることができる画像処理装置および方法を提供することにある。
【０００９】
【課題を解決するための手段】
本発明の画像処理装置は、それぞれ色情報を含む画素データを保持する画像記憶素子を備える画像処理装置において、前記画像記憶素子は、第一の座標系で表現された画像データを入力しそれを第二の座標系の画像データに変換して送出する座標変換部と、前記第二の座標系の画像データを取込みそれにアンチエイリアシング処理を施して送出するアンチエイリアシング演算部と、前記アンチエイリアシング演算部によって処理された画像データを取込みそれを第一の座標系の画像データに変換して送出する座標逆変換部と、前記第一の座標系の画像データをメモリセルに格納しそれを任意のタイミングで送出して表示させるデータ制御部とを有することを特徴とする。
【００１０】
さらに、本発明の画像処理装置は、それぞれ色情報を含む画素データを保持する画像記憶素子を備える画像処理装置において、前記画像記憶素子は、直交座標系で表現された画像データを入力しそれを円筒座標系の画像データに変換して送出する座標変換部と、前記円筒座標系の画像データを取込みそれにアンチエイリアシング処理を施して送出するアンチエイリアシング演算部と、前記アンチエイリアシング演算部によって処理された画像データを取込みそれを直交座標系の画像データに変換して送出する座標逆変換部と、前記直交座標系の画像データをメモリセルに格納しそれを任意のタイミングで送出して表示させるデータ制御部とを有することを特徴とする。
【００１１】
さらに、本発明の画像処理装置は、それぞれ色情報を含む画素データを保持する画像記憶素子を備える画像処理装置において、前記画像記憶素子は、ＲＧＢ値で表現された画像データを入力しそれをＨＶＣ値の画像データに変換して送出する画素値変換手段と、前記ＨＶＣ値の画像データを取込みそれにアンチエイリアシング処理を施して送出するアンチエイリアシング演算手段と、前記アンチエイリアシング演算手段によって処理された画像データを取込みそれをＲＧＢ値の画像データに変換して送出する画素値逆変換手段と、前記ＲＧＢ値の画像データをメモリセルに格納しそれを任意のタイミングで送出して表示させるデータ制御手段とを有することを特徴とする。
【００１２】
さらに、本発明の画像処理装置は、それぞれ色情報を含む画素データを保持する画像記憶素子を備える画像処理装置において、前記画像記憶素子は、外部バスに接続されて画像データを取込みそれを保持する入出力バッファと、前記画像データの入出力を制御するデータコントローラと、ＲＧＢ値で表現された画素データをＨＶＣ値に変換するＲＧＢ−ＨＶＣコンバータと、アンチエイリアシングを行うデータを指示するカウンタと、アンチエイリアシングを行うデータを保持する第一レジスタ群と、前記カウンタが示す値に基づき前記第一レジスタ群へ画素データの書込みを制御するライトデータコントローラと、前記第一レジスタ群に保持された画素データからアンチエイリアシングデータを計算する演算器と、前記アンチエイリアシングデータをＲＧＢ値に変換するＨＶＣ−ＲＧＢコンバータと、前記ＨＶＣ−ＲＧＢコンバータによってＲＧＢ値に変換されたアンチエイリアシングデータを保持する第二レジスタ群と、外部バスに接続されてアドレスを取込みそれを保持するアドレスバッファと、前記アドレスバッファに保持されたアドレスをデコードするロー／カラムデコーダと、画素データを保持するメモリセルアレイと、前記メモリセルアレイの任意のアドレスから前記データコントローラを介して送出される画素データを保持するシリアルアクセスメモリおよびシリアル出力バッファとを有することを特徴とする。
【００１３】
さらに、本発明の画像処理装置において、前記データコントローラは、第一および第二のメモリセルアレイへの画素データの書込みを制御するライトコントローラと、第一のメモリセルアレイへの書込みデータを選択する第一セレクタと、第二のメモリセルアレイへの書込みデータを選択する第二セレクタと、前記第一および第二のメモリセルアレイからの画素データの読出しを制御するリードコントローラと、前記第二レジスタ群に保持されたアンチエイリアシングデータの前記第一および第二のメモリセルアレイへの書込みを制御するシリアルライトコントローラと、前記シリアルライトコントローラが送出する画素データと前記第一および第二のメモリセルアレイから読出した画素データとを選択出力する第三セレクタと、前記第三セレクタが送出する画素データを前記第一および第二のメモリセルアレイおよび前記シリアルアクセスメモリに選択出力する第四セレクタとを具備することを特徴とする。
【００１４】
また、本発明の画像処理方法は、第一の座標系で表現された画像データを入力しそれを第二の座標系の画像データに変換して送出し、前記第二の座標系の画像データを取込みそれにアンチエイリアシング処理を施して送出し、前記アンチエイリアシング処理をされた画像データを取込みそれを第一の座標系の画像データに変換して送出し、前記第一の座標系の画像データをメモリセルに格納しそれを任意のタイミングで送出して表示させることを特徴とする。
【００１５】
さらに、本発明の画像処理方法は、直交座標系で表現された画像データを入力しそれを円筒座標系の画像データに変換して送出し、前記円筒座標系の画像データを取込みそれにアンチエイリアシング処理を施して送出し、前記アンチエイリアシング処理をされた画像データを取込みそれを直交座標系の画像データに変換して送出し、前記直交座標系の画像データをメモリセルに格納しそれを任意のタイミングで送出して表示させることを特徴とする。
【００１６】
さらに、本発明の画像処理方法は、ＲＧＢ値で表現された画像データを入力しそれをＨＶＣ値の画像データに変換して送出し、前記ＨＶＣ値の画像データを取込みそれにアンチエイリアシング処理を施して送出し、前記アンチエイリアシング処理をされた画像データを取込みそれをＲＧＢ値の画像データに変換して送出し、前記ＲＧＢ値の画像データをメモリセルに格納しそれを任意のタイミングで送出して表示させることを特徴とする。
【００１７】
すなわち、本発明によれば、二点の座標値が与えられたとき、描画された直線の色値と背景の色値からその間にアンチエイリアス処理を施す手段と、ＲＧＢ色空間にて表現された入力画素値をＨＶＣ値に変換する画素値変換手段と、ＨＶＣ値で表現された画素値をＲＧＢ色空間に逆変換する画素値変換手段とを有する画像記憶素子が得られる。
【００１８】
具体的には、直交座標上のＲＧＢ値で示された入力画像データをＨＶＣ円筒座標変換した後、円筒座標で表記された二点の画素間にアンチエイリアシングを行い記憶する。
【００１９】
人間の視覚特性は、色相Ｈ，輝度Ｖ，クロマＣにて色を表現した方が、ＲＧＢの各色値を直交座標上で表現するよりも感覚に整合することが明らかとなっており、アンチエイリアシングを行う際にも二つのＲＧＢ値を補間するより、二つのＨＶＣ値を補間した方が、人間の視覚特性と整合した色変化の連続性が得られる。したがって、より高画質のアンチエイリアシングを行うことができる。
【００２０】
【発明の実施の形態】
以下、本発明について図面を参照しながら説明する。
【００２１】
図１は本発明の実施の一形態を示すブロック図である。同図において、本発明による画像処理装置は、それぞれ色情報を含む画素データを保持する画像記憶素子１００を備える画像処理装置において、前記画像記憶素子は、第一の座標系で表現された画像データを入力しそれを第二の座標系の画像データに変換して送出する座標変換部１２０と、前記第二の座標系の画像データを取込みそれにアンチエイリアシング処理を施して送出するアンチエイリアシング演算部１３０と、前記アンチエイリアシング演算部によって処理された画像データを取込みそれを第一の座標系の画像データに変換して送出する座標逆変換部１４０と、前記第一の座標系の画像データをメモリセル１５０および１６０に格納しそれを任意のタイミングで送出して表示させるデータ制御部１１０とを有する。
【００２２】
上記の画像記憶素子１００に入力される画像データは、システムバス４００を介して上位プロセッサ５００から与えられる。また、ＤＡＣ２００および表示部３００は、アンチエイリアシング処理された画像データを視認できるようにする手段を示す。
【００２３】
ここで、第一の座標系をＲＧＢ値による直交座標系とし、第二の座標系をＨＶＣ値による円筒座標系とすることにより、ＨＶＣ値によるアンチエイリアシング処理結果をＲＧＢ値による画像データとして表示することができる。
【００２４】
図２は上記の画像処理装置の具体例を示す説明図である。同図において、本発明による画像処理装置は、それぞれ色情報を含む画素データを保持する画像記憶素子を備える画像処理装置において、前記画像記憶素子は、外部バスに接続されて画像データを取込みそれを保持する入出力バッファ１と、前記画像データの入出力を制御するデータコントローラ２と、ＲＧＢ値で表現された画素データをＨＶＣ値に変換するＲＧＢ−ＨＶＣコンバータ４と、アンチエイリアシングを行うデータを指示するカウンタ５と、アンチエイリアシングを行うデータを保持する第一レジスタ群７と、前記カウンタが示す値に基づき前記第一レジスタ群へ画素データの書込みを制御するライトデータコントローラ６と、前記第一レジスタ群に保持された画素データからアンチエイリアシングデータを計算する演算器９と、前記アンチエイリアシングデータをＲＧＢ値に変換するＨＶＣ−ＲＧＢコンバータ８と、前記ＨＶＣ−ＲＧＢコンバータによってＲＧＢ値に変換されたアンチエイリアシングデータを保持する第二レジスタ群１０と、外部バスに接続されてアドレスを取込みそれを保持するアドレスバッファ１１と、前記アドレスバッファに保持されたアドレスをデコードするロー／カラムデコーダ１２と、画素データを保持するメモリセルアレイ１３および１４と、前記メモリセルアレイの任意のアドレスから前記データコントローラを介して送出される画素データを保持するシリアルアクセスメモリ１５およびシリアル出力バッファ１６とを有する。
【００２５】
図３は上記のデータコントローラの詳細を示す構成図である。同図において、データコントローラ２は、第一および第二のメモリセルアレイへの画素データの書込みを制御するライトコントローラ１７と、第一のメモリセルアレイ１３への書込みデータを選択する第一セレクタ１８と、第二のメモリセルアレイ１４への書込みデータを選択する第二セレクタ２０と、前記第一および第二のメモリセルアレイからの画素データの読出しを制御するリードコントローラ１９と、前記第二レジスタ群に保持されたアンチエイリアシングデータの前記第一および第二のメモリセルアレイへの書込みを制御するシリアルライトコントローラ２１と、前記シリアルライトコントローラが送出する画素データと前記第一および第二のメモリセルアレイから読出した画素データとを選択出力する第三セレクタ２２と、前記第三セレクタが送出する画素データを前記第一および第二のメモリセルアレイおよび前記シリアルアクセスメモリに選択出力する第四セレクタ２３とを具備する。
【００２６】
次に、上記の画像処理装置の動作について説明する。
【００２７】
本画像記憶素子を用いてアンチエイリアシング処理を行うには、ロー／カラムデコーダ１２が、アドレスバッファ１１に入力されたアンチエイリアスを行う始点と終点のロウおよびカラムアドレスをデコードし、データコントローラ２に出力する。その際、カラムアドレスはライトデータコントローラ６にも出力される。
【００２８】
データコントローラ２内部のリードコントローラ１９は、アンチエイリアシング始点の色値をメモリセルアレイ１３から、終点の隣の直線の色値をメモリセルアレイ１４からそれぞれ読み出し、ＲＧＢ−ＨＶＣコンバータ４に出力する。
【００２９】
ＲＧＢ−ＨＶＣコンバータ４は、指定された二つの座標の色値をＲＧＢ値からＨＶＣ値に変換した後、ライトデータコントローラ６によりアドレスバッファより入力したカラムアドレスに基づき、第一レジスタ群７の内レジスタ番号０〜２５５の間の任意の隣接しない二つのレジスタに、描画開始点および描画終了点の色データをセットする。
【００３０】
ＲＧＢ−ＨＶＣ変換は、図４に示す数式に基づいて実行される。すなわち、ＲＧＢ値より、色相Ｈ，明度Ｖ，クロマＣを定めることができる。
【００３１】
アンチエイリアス描画を行う描画画素数は、（（描画終了点が記憶されているレジスタ番号）−（描画開始点が記憶されているレジスタ番号）＋１）によって与えられる。これにより、カウンタ５に描画画素数をセットする。
【００３２】
色データをアンチエイリアシングする演算器９は、８ビット減算器，１６ビット除算器，１６ビット加算器，および１６ビット長レジスタ各１個から構成される。１６ビット長レジスタ内部は整数部８ビットおよび小数部８ビットとして使用する。
【００３３】
演算器は描画開始点と描画終了点の２点の色データを線形補完することによりアンチエイリアシングを行う。すなわち、演算器は色データをアンチエイリアシングする際に、与えられた２点の画素のＨＶＣ値と描画画素数に基づき、まず、描画を行う画素間の色データの差分Δを、（（描画終了点のＨＶＣ値−描画開始点のＨＶＣ値）／描画画素数）として算出する。
【００３４】
描画開始点と描画終了点の各画素のメモリに書き込む色データを決定するには、描画開始点の色データに色データの差分Δを加算して行くことによって行う。
【００３５】
演算器では、（描画終了点のＨＶＣ値−描画開始点のＨＶＣ値）の計算を行い、１６ビット除算器の上位８ビットに結果を渡す。除算器はこの値を描画画素数で除算し、演算器内部の１６ビットレジスタに除算結果をストアする。
【００３６】
次に、レジスタ番号ｎに格納された描画開始点のＨＶＣ値と上記の１６ビットレジスタに格納されたΔ値とを加算し、レジスタ番号ｎ＋１点の画素のＨＶＣ値とする。
【００３７】
計算されたデータはライトデータコントローラ６によって描画開始点の隣のレジスタから順に書込まれる。データがレジスタに書込まれる順番は、（描画開始点レジスタ番号＜描画終了点レジスタ番号）の時はレジスタ群の左から右に計算された色データが順に書込まれ、（描画開始点レジスタ番号＞描画終了点レジスタ番号）の時はレジスタ群の右から左に順に書込まれる。書込まれるデータは、計算された色データの整数部８ビットである。
【００３８】
第一レジスタ群に描画を行おうとする画素の色データが全て書込まれると、ＨＶＣ−ＲＧＢコンバータ８がＨＶＣ値をＲＧＢ値に変換し、変換された色値は第二レジスタ群１０に書込まれる。
【００３９】
ここで、ＨＶＣ−ＲＧＢ変換は、図５に示す数式に基づいて実行される。
【００４０】
第二レジスタ群１０に描画を行おうとする画素の色データがすべて書込まれると、データコントローラ２内部のシリアルライトコントローラ２１が第二レジスタ群１０内部のデータを最大２５６画素同時にメモリセルアレイ１４に書込む。
【００４１】
メモリセルアレイ１４に書込まれたデータは、適宜リードコントローラ１９にて読み出され、シリアルアクセスメモリ１５を経由してシリアル出力バッファ１６より出力される。
【００４２】
なお、メモリセルアレイ１３および１４への書込み制御は、第一セレクタ１８，第二セレクタ２０，第三セレクタ２２，および第四セレクタ２３により行う。
【００４３】
図６は上記の画像処理装置の動作例を示す説明図である。同図において、（ａ）はアンチエイリアス処理を行う前の直線の描画例を示す。ここで、階段状の表示は線分の画素が１インクリメントする（ここでは縦方向に）ことを示している。また、背景色（Ｈ０，Ｖ０，Ｃ０）に対して直線の描画色（Ｈ１，Ｖ１，Ｃ１）とし、画素が１インクリメントする位置（画素の始点および終点）でシェーディングすることにより、アンチエイリアス処理を行う。
【００４４】
（ｂ）は左端の始点（直線の左端。すなわち、第一の画素の始点。）におけるシェーディングを示す。
【００４５】
（ｃ）は第二の画素の始点におけるシェーディングを示す。
【００４６】
（ｄ）は第一の画素の終点におけるシェーディングを示す。
【００４７】
（ｅ）は左端から順次に上記の過程を経てアンチエイリアス処理された直線を示している。
【００４８】
【発明の効果】
以上、詳細に説明したように、本発明によれば、アンチエイリアス処理を画像記憶素子内部で行う際に、色値を色相Ｈ，明度Ｖ，クロマＣという単位に変換した後でアンチエイリアシングを行うので、描画色と背景色の色相，輝度，クロマ変化が連続的になり、画像の色変化をより滑らかに表現することができる。
【００４９】
また、一回のメモリアクセスで、アンチエイリアス計算された色データをラスタ方向に同時に描画できるので、極めて高速なアンチエイリアス描画を行うことができるという効果がある。
【００５０】
すなわち、本発明によれば、人間の視覚特性に適合した高品質なアンチエイリアス処理を高速に行うことができる。
【図面の簡単な説明】
【図１】本発明の実施の一形態を示すブロック図。
【図２】本発明の実施の具体例を示す説明図。
【図３】データコントローラの詳細を示す構成図。
【図４】ＲＧＢ−ＨＶＣコンバータの処理を示す説明図。
【図５】ＨＶＣ−ＲＧＢコンバータの処理を示す説明図。
【図６】本発明の動作例を示す説明図。
【符号の説明】
１    入出力バッファ
２    データコントローラ
４    ＲＧＢ−ＨＶＣコンバータ
５    カウンタ
６    ライトデータコントローラ
７    第一レジスタ群
８    ＨＶＣ−ＲＧＢコンバータ
９    演算器
１０    第二レジスタ群
１１    アドレスバッファ
１２    ロー／カラムデコーダ
１３，１４    メモリセルアレイ
１５    シリアルアクセスメモリ
１６    シリアル出力バッファ
１７    ライトコントローラ
１８    第一セレクタ
１９    リードコントローラ
２０    第二セレクタ
２１    シリアルライトコントローラ
２２    第三セレクタ
２３    第四セレクタ
１００    画像記憶素子
１１０    データ制御部
１２０    座標変換部
１３０    アンチエイリアシング演算部
１４０    座標逆変換部
１５０，１６０    メモリセル
２００    ＤＡＣ
３００    表示部
４００    システムバス
５００    上位プロセッサ
【図１】
2004287964.tif 000003
【図２】
2004287964.tif 000004
【図３】
2004287964.tif 000005
【図４】
2004287964.tif 000006
【図５】
2004287964.tif 000007
【図６】
2004287964.tif 000008